(57)【要約】  高ＮＡのレンズにおいて成形時の不具合を抑制できる対物レンズ及び光ピックアップ装置を提供する。  対物レンズＯＢＪが厚肉フランジ部ＦＴを有するので、図２を参照して、第１の型１０の第１のフランジ部転写面１１ｂに、厚肉フランジ部形成部１１ｃをゲート部ＧＴに接続するように形成する事ができ、これによりゲート部ＧＴの断面積を増大することでゲートシール時間が最適化され、十分な圧力を加えることができるようになり、エアの抜けを有効に行うことができる。
2011040151.tif 000002
【特許請求の範囲】
【請求項１】
５００ｎｍ以下の波長の光束を光ディスクの情報記録面に集光することによって、情報の記録及び／又は再生を行う光ピックアップ装置において用いられる対物レンズにおいて、
前記対物レンズのＮＡは０．７５以上であり、
前記対物レンズは、光学面の周囲にフランジ部を有し、前記フランジ部の一部は、それ以外の部位よりも光軸方向の厚みが大きな厚肉フランジ部となっており、前記対物レンズを光軸方向から見たときに前記厚肉フランジ部は最大有効径よりも光軸側に張り出しており、更に以下の式を満たすことを特徴とする対物レンズ。
０．９≦ｄ／ｆ≦１．２      （１）
但し、ｄ（ｍｍ）は、前記対物レンズの軸上レンズ厚を表し、ｆ（ｍｍ）は、前記５００ｎｍ以下の波長の光束における前記対物レンズの焦点距離を表す。
【請求項２】
５００ｎｍ以下の波長の光束を光ディスクの情報記録面に集光することによって、情報の記録及び／又は再生を行う光ピックアップ装置において用いられる対物レンズにおいて、
前記対物レンズのＮＡは０．７５以上であり、
前記対物レンズは、光学面の周囲にフランジ部を有し、前記フランジ部は、光軸方向のいずれか少なくとも一方の側に周方向に延びる輪帯部を有し、前記輪帯部は前記フランジ部から前記光学面にわたって形成された厚肉フランジ部によって寸断されており、更に以下の式を満たすことを特徴とする対物レンズ。
０．９≦ｄ／ｆ≦１．２      （１）
但し、ｄ（ｍｍ）は、前記対物レンズの軸上レンズ厚を表し、ｆ（ｍｍ）は、前記５００ｎｍ以下の波長の光束における前記対物レンズの焦点距離を表す。
【請求項３】
前記フランジ部は、光軸方向のいずれか少なくとも一方の側に周方向に延びる溝を有し、前記溝も前記厚肉フランジ部によって寸断されていることを特徴とする請求項２に記載の対物レンズ。
【請求項４】
前記輪帯部は、前記光学面のうち曲率半径が小さい光学面に近い側に形成されていることを特徴とする請求項２又は３に記載の対物レンズ。
【請求項５】
前記厚肉フランジ部は、ゲート近傍に設けられていることを特徴とする請求項１〜４のいずれかに記載の対物レンズ。
【請求項６】
前記厚肉フランジ部の肉厚をΔ（ｍｍ）としたときに、以下の式を満たすことを特徴とする請求項１〜５のいずれかに記載の対物レンズ。
２．０≦ｄ／Δ≦５．０      （２）
【請求項７】
前記フランジ部の最小肉厚をｔ（ｍｍ）としたときに、以下の式を満たすことを特徴とする請求項１〜６のいずれかに記載の対物レンズ。
５．０＜ｄ／ｔ≦８．０      （３）
【請求項８】
前記対物レンズは樹脂素材から形成されていることを特徴とする請求項１〜７のいずれかに記載の対物レンズ。
【請求項９】
請求項１〜８のいずれかに記載の対物レンズを有することを特徴とする光ピックアップ装置。
【発明の詳細な説明】
【技術分野】
【０００１】
本発明は、対物レンズに関し、特に光ピックアップ装置に用いられると好適なＮＡ０．７５以上の対物レンズ及び光ピックアップ装置に関する。
【背景技術】
【０００２】
波長４００ｎｍ程度の青紫色半導体レーザを用いて、情報の記録及び／又は再生（以下、「記録及び／又は再生」を「記録／再生」と記載する）を行える高密度光ディスクシステムが既に市販されている。一例として、ＮＡ０．８５、光源波長４０５ｎｍの仕様で情報記録／再生を行う光ディスク、いわゆるＢｌｕ−ｒａｙ  Ｄｉｓｃ（以下、ＢＤという）では、ＤＶＤ（ＮＡ０．６、光源波長６５０ｎｍ、記憶容量４．７ＧＢ）と同じ大きさである直径１２ｃｍの光ディスクに対して、１層あたり２３〜２７ＧＢの情報の記録が可能である。【０００３】
ところで、光ピックアップ装置に用いる対物レンズを成形によって形成すれば大量生産が可能であり、低コスト化を図ることができる。特許文献１には、金型によりレンズに対応するキャビティを形成し、かかるキャビティ内にゲートと呼ばれる樹脂流入口から溶融したプラスチック樹脂を流し込んでレンズを形成する、いわゆる射出成形によりプラスチックレンズを製造する技術が開示されている。
【先行技術文献】
【特許文献】
【０００４】
【特許文献１】特開２００５−８４０８０号公報
【発明の概要】
【発明が解決しようとする課題】
【０００５】
ここで、従来のＤＶＤ用の光ピックアップ装置に用いる対物レンズの場合、ＮＡ０．６程度であるためフランジ厚に対して軸上レンズ厚が比較的薄く、特許文献１に開示された射出成形技術で製造が可能である。ところが、ＢＤ用の光ピックアップ装置に用いる対物レンズの場合、ＮＡ０．７５程度であるためフランジ厚に対して軸上レンズ厚が比較的厚くなって半球形に近くなり、キャビティ内に射出する樹脂総量が増大する。樹脂総量が増大すると、狭いゲートから樹脂を注入する際にキャビティ内の最大肉厚部まで圧力が十分伝わる前にゲートがシールしてしまい、キャビティ内のエアを押し出すことができず、その結果空気溜まりができてしまい、所望の光学面を得ることができないという不具合が生じる。これに対し、フランジ厚を全体的に厚くすれば、ゲートも厚くすることができる為圧力を十分に伝えることができるが、対物レンズのトラッキング・フォーカシング制御に不利となる重量増を招くという問題が生じる。また、フランジ厚を全体的に厚くするのに伴い、軸上レンズ厚を厚くすると、光ディスクとの干渉を回避するためのワーキングディスタンスの減少を招くという問題が生じる。【０００６】
本発明は、かかる従来技術の問題点に鑑みてなされたものであり、高ＮＡのレンズにおいて成形時の不具合を抑制できる対物レンズ及び光ピックアップ装置を提供することを目的とする。
【課題を解決するための手段】
【０００７】
請求項１に記載の対物レンズは、５００ｎｍ以下の波長の光束を光ディスクの情報記録面に集光することによって、情報の記録及び／又は再生を行う光ピックアップ装置において用いられる対物レンズにおいて、
前記対物レンズのＮＡは０．７５以上であり、
前記対物レンズは、光学面の周囲にフランジ部を有し、前記フランジ部の一部は、それ以外の部位よりも光軸方向の厚みが大きな厚肉フランジ部となっており、前記対物レンズを光軸方向から見たときに前記厚肉フランジ部は最大有効径よりも光軸側に張り出しており、更に以下の式を満たすことを特徴とする。【０００８】
０．９≦ｄ／ｆ≦１．２      （１）
但し、ｄ（ｍｍ）は、前記対物レンズの軸上レンズ厚を表し、ｆ（ｍｍ）は、前記５００ｎｍ以下の波長の光束における前記対物レンズの焦点距離を表す。【０００９】
本発明によれば、前記フランジ部の一部が、それ以外の部位よりも光軸方向の厚みが大きな厚肉フランジ部となっており、前記対物レンズを光軸方向から見たときに前記厚肉フランジ部は最大有効径よりも光軸側に張り出している。また、かかる厚肉フランジ部に対応する比較的断面積の大きな厚肉フランジ部形成部を介してゲートを設けることでゲートを厚くすることができる。前記ゲートから対物レンズの素材を金型内に注入することで、ＢＤ用の光ピックアップ装置に用いるような軸上レンズ厚が大きな対物レンズであっても、キャビティ内のエアをスムーズに排出する為に十分な圧力を加えることができ、精度良く光学面を形成することができる。また、厚肉フランジ部以外のフランジ部の厚さは従来と同様であるため、重量増を最小限に抑えることができる。また、厚肉フランジ部以外のフランジ部の厚さを抑えることが出来るため、軸上レンズ厚を厚くする必要がなく、結果として、軸上レンズ厚を小さな値に抑えることが可能となる為ワーキングディスタンスの減少を招く恐れもない。【００１０】
請求項２に記載の対物レンズは、５００ｎｍ以下の波長の光束を光ディスクの情報記録面に集光することによって、情報の記録及び／又は再生を行う光ピックアップ装置において用いられる対物レンズにおいて、
前記対物レンズのＮＡは０．７５以上であり、
前記対物レンズは、光学面の周囲にフランジ部を有し、前記フランジ部は、光軸方向のいずれか少なくとも一方の側に周方向に延びる輪帯部を有し、前記輪帯部は前記フランジ部から前記光学面にわたって形成された厚肉フランジ部によって寸断されており、更に以下の式を満たすことを特徴とする。【００１１】
０．９≦ｄ／ｆ≦１．２      （１）
但し、ｄ（ｍｍ）は、前記対物レンズの軸上レンズ厚を表し、ｆ（ｍｍ）は、前記５００ｎｍ以下の波長の光束における前記対物レンズの焦点距離を表す。【００１２】
本発明によれば、前記フランジ部が、光軸方向のいずれか少なくとも一方の側に周方向に延びる輪帯部を有し、前記輪帯部は前記フランジ部から前記光学面にわたって形成された厚肉フランジ部によって寸断されている。また、かかる厚肉フランジ部に対応する比較的断面積の大きな厚肉フランジ部形成部を介してゲートを設けることでゲートを厚くすることができる。前記ゲートから対物レンズの素材を金型内に注入することで、ＢＤ用の光ピックアップ装置に用いるような軸上レンズ厚が大きな対物レンズであっても、キャビティ内のエアをスムーズに排出する為に十分な圧力を加えることができ、精度良く光学面を形成することができる。また、厚肉フランジ部以外のフランジ部の厚さは従来と同様であるため、重量増を最小限に抑えることができる。また、厚肉フランジ部以外のフランジ部の厚さを抑えることが出来るため、軸上レンズ厚を厚くする必要がなく、結果として、軸上レンズ厚を小さな値に抑えることが可能となる為ワーキングディスタンスの減少を招く恐れもない。【００１３】
請求項３に記載の対物レンズは、請求項２に記載の発明において、前記光軸方向のいずれか少なくとも一方の側に周方向に延びる溝を有し、前記溝も前記厚肉フランジ部によって寸断されていることを特徴とする。【００１４】
請求項４に記載の対物レンズは、請求項２又は３に記載の発明において、前記溝部は、前記光学面のうち曲率半径が小さい光学面に近い側に形成されていることを特徴とする。【００１５】
請求項５に記載の対物レンズは、請求項１〜４のいずれかに記載の発明において、前記厚肉フランジ部は、ゲート近傍に設けられていることを特徴とする。【００１６】
請求項６に記載の対物レンズは、請求項１〜５のいずれかに記載の発明において、前記厚肉フランジ部の肉厚をΔ（ｍｍ）としたときに、以下の式を満たすことを特徴とする。【００１７】
２．０≦ｄ／Δ≦５．０      （２）
請求項７に記載の対物レンズは、請求項１〜６のいずれかに記載の発明において、前記フランジ部の最小肉厚をｔ（ｍｍ）としたときに、以下の式を満たすことを特徴とする。【００１８】
５．０＜ｄ／ｔ≦８．０      （３）
請求項８に記載の対物レンズは、請求項１〜７のいずれかに記載の発明において、前記対物レンズは樹脂素材から形成されていることを特徴とする。【００１９】
請求項９に記載の光ピックアップ装置は、請求項１〜８のいずれかに記載の対物レンズを有することを特徴とする。光ピックアップ装置は、５００ｎｍ以下の波長の光束を射出する光源と、対物レンズを有する集光光学系と、光検出器を有する。集光光学系は、対物レンズの他に、コリメータ等のカップリングレンズを有していてもよい。【００２０】
本明細書において、対物レンズとは、光ピックアップ装置において光ディスクに対向する位置に配置され、光源から射出された光束を光ディスクの情報記録面上に集光する機能を有する光学系を指す。対物レンズは、単玉のレンズであることが好ましい。また、対物レンズは、ガラスレンズであってもプラスチックレンズであっても、又は、ガラスレンズの上に光硬化性樹脂、ＵＶ硬化性樹脂、又は熱硬化性樹脂などで光路差付与構造を設けたハイブリッドレンズであってもよい。プラスチックレンズに一体的に光路差付与構造を形成しても良い。また、対物レンズは、屈折面が非球面であることが好ましい。また、対物レンズは、光路差付与構造が設けられるベース面が非球面であることが好ましい。光ピックアップ装置は、少なくとも５００ｎｍ以下（好ましくは、３５０ｎｍ以上、４５０ｎｍ以下）の波長の光源（半導体レーザ等）を用いるものであると好ましい。また、対物レンズは、像側の開口数が０．７５以上（好ましくは、０．７５以上、０．９以下）である。対物レンズは、光学面とフランジ部とを有する。フランジ部とは、光学面の周囲で略光軸直交方向に延在した輪帯部を有し、対物レンズを保持するために用いられる部位をいう。このフランジ部の輪帯部が、厚肉フランジ部によって周方向において寸断される。本明細書で、フランジ部及び厚肉フランジ部の肉厚とは、光軸方向の厚さをいう。【００２１】
また、対物レンズをプラスチックレンズとする場合は、環状オレフィン系の樹脂材料等の脂環式炭化水素系重合体材料を使用するのが好ましい。また、当該樹脂材料は、波長４０５ｎｍに対する温度２５℃での屈折率が１．５０乃至１．６０の範囲内であって、−５℃から７０℃の温度範囲内での温度変化に伴う波長４０５ｎｍに対する屈折率変化率ｄＮ／ｄＴ（℃−１）が−２０×１０−５乃至−５×１０−５（より好ましくは、−１０×１０−５乃至−８×１０−５）の範囲内である樹脂材料を使用するのがより好ましい。【００２２】
また、対物レンズは、以下の条件式（１）を満たすと好ましい。【００２３】
０．９≦ｄ／ｆ≦１．２      （１）
但し、ｄ（ｍｍ）は、対物レンズの軸上レンズ厚を表し、ｆ（ｍｍ）は、５００ｎｍ以下の波長の光束における対物レンズの焦点距離を表す。【００２４】
以下の式を満たすと更に好ましい。【００２５】
０．９≦ｄ／ｆ＜１．１      （１’）
ＢＤのような短波長、高ＮＡの光ディスクに対応させる場合、対物レンズにおいて、非点収差が発生しやすくなり、偏心コマ収差も発生しやすくなるという課題が生じるが、条件式（１）及び（１’）を満たすことにより非点収差や偏心コマ収差の発生を抑制しつつ、ワーキングディスタンスを長めに確保することが可能となる。【００２６】
対物レンズの厚肉フランジ部の肉厚をΔ（ｍｍ）としたときに、以下の式を満たすと好ましい。【００２７】
２．０≦ｄ／Δ≦５．０      （２）
対物レンズのフランジ部の最小肉厚をｔ（ｍｍ）としたときに、以下の式を満たすと好ましい。【００２８】
５．０＜ｄ／ｔ≦８．０      （３）
【発明の効果】
【００２９】
本発明によれば、高ＮＡのレンズにおいて成形時の不具合を抑制できる対物レンズを提供することができる。
【図面の簡単な説明】
【００３０】
【図１】本実施の形態にかかる対物レンズを、成形金型を用いて成形する工程を示す図である。
【図２】本実施の形態にかかる対物レンズを成形する成形金型の拡大図である。
【図３】比較例にかかる対物レンズを成形する成形金型の拡大図である。
【図４】（ａ）は、本実施の形態にかかる対物レンズＯＢＪを光軸方向から見た図、（ｂ）は光軸直交方向に見た図である。
【図５】（ａ）は、比較例にかかる対物レンズＯＢＪを光軸方向から見た図、（ｂ）は光軸直交方向に見た図である。
【図６】（ａ）は、別な実施の形態にかかる対物レンズＯＢＪを光軸方向から見た図、（ｂ）は（ａ）の対物レンズをVIＢ−VIＢ線で切断して矢印方向に見た図である。
【発明を実施するための形態】
【００３１】
以下、図面を参照して本発明の実施の形態について説明する。図１は、ＢＤ用光ピックアップ装置に用いるＮＡ０．８５のレンズを、成形金型を用いて成形する工程を示す図である。図２は、本実施の形態にかかる成形金型の拡大図である。成形金型は、第１の型１０と第２の型２０とを含み、両者が型締めされた状態で複数のキャビティを形成するようになっている。尚、図１におけるキャビティ形状は概略的である。光ピックアップ装置は一般的なもので足りるため、ここでは省略する。
【００３２】
図２に示すように、第１の型１０は、対物レンズの第１の光学面（光ピックアップ装置に取り付けた状態で光源側となる）を転写形成するための第１の光学転写面１１ａと、その周囲に続くフランジ部の光源側面（輪帯部）を転写形成するための第１のフランジ部転写面１１ｂを有する。更に第１の型１０には、第１のフランジ部転写面１１ｂに接続するようにしてゲート部（入口流路）ＧＴが形成されており、また第１のフランジ部転写面１１ｂは、周方向の一部のみが陥没したごとき厚肉フランジ部形成部１１ｃをゲート部ＧＴに接続するように設けている。
【００３３】
一方、第２の型２０は、対物レンズの第２の光学面（光ピックアップ装置に取り付けた状態で光ディスク側となる）を転写形成するための第２の光学転写面２１ａと、その周囲に続くフランジ部の光ディスク側側面を転写形成するための第２のフランジ部転写面２１ｂを有する。
【００３４】
図３は、比較例である成形金型の図２と同様な断面図である。比較例である成形金型において、第２の型２０の形状は同じであるが、第１の型１０’は、第１のフランジ部転写面１１ｂが厚肉フランジ部形成部１１ｃを含まず、全周一様な厚さとなっている点が異なる。即ち、フランジ部の輪帯部が厚肉フランジ部によって寸断されることがない。
【００３５】
次に、本実施の形態にかかる対物レンズの成形方法について説明する。まず、図１（ａ）に示すように、第２の型２０に対向するようにして第１の型１０をセットする。更に第１の型１０と第２の型２０とを不図示のヒータにより加熱することにより、光学転写面１１ａ、２１ａを所定温度まで加熱する。
【００３６】
その後、図１（ｂ）に示すように、第２の型２０に対して第１の型１０を相対的に接近させ密着させて、所定の保圧にて型締めを行った後、不図示のノズルからランナーＬＮ及びゲート部ＧＴを介して任意の圧力に加圧された状態で型温度よりも更に高温に加熱された樹脂を供給する（図１（ｃ）参照）。
【００３７】
次に、溶融した樹脂が転写面１１ａ、１１ｂ、２１ａ、２１ｂ及び厚肉フランジ部形成部１１ｃの形状が転写した状態で固化するまで所定の時間待機して樹脂を冷却させる。
【００３８】
その後、第１の型１０と第２の型２０とを相対的に移動させて型開きを行うと、対物レンズＯＢＪを含む成形品が第１の型１０に貼り付いた状態で露出する。かかる成形品から対物レンズＯＢＪを分離することで、単体の対物レンズＯＢＪが形成される。
【００３９】
図４は、図２に示す成形金型により成形された対物レンズＯＢＪを示す図であり、図５は、図３に示す成形金型により成形された対物レンズＯＢＪ’を示す図である。まず、図５に示す比較例の対物レンズＯＢＪ’においては、フランジ部ＦＬの光軸方向厚さｔが全周で均一となっている。即ち、フランジ部ＦＬの輪帯部が厚肉フランジ部によって寸断されない形状である。しかるに、重量軽減やワーキングディスタンスを長くするためには、対物レンズＯＢＪ’の軸上レンズ厚ｄに対する焦点距離ｆの比（ｄ／ｆ）を１．２以下とすることが望ましいが、そうすると肉厚ｔが薄くなりすぎ、樹脂の充填性が悪化することとなって高精度な光学面を形成できない。
【００４０】
これに対し、図４に示す本実施の形態の対物レンズＯＢＪにおいては、フランジ部ＦＬの一部を厚肉フランジ部ＦＴとしている。即ち、フランジ部ＦＬの輪帯部ＦＬ１（第１の光学面Ｓ１側の面）が厚肉フランジ部ＦＴによって寸断されている。より具体的には、対物レンズＯＢＪは、第１の光学転写面１１ａにより転写成形された第１の光学面Ｓ１と、第１の光学面Ｓ１より曲率半径が大きく第２の光学転写面２１ａにより転写成形された第２の光学面Ｓ２と、第１のフランジ部転写面１１ｂ及び第２のフランジ部転写面２１ｂにより転写成形されたフランジ部ＦＬと、フランジ部ＦＬにおける第１の光学面Ｓ１側に一部盛り上がるようにして、厚肉フランジ部形成部１１ｃにより転写形成された厚肉フランジ部ＦＴとを有している。厚肉フランジ部ＦＴは、光軸直交方向に延在する光源側面ＦＴ１と、光源側面ＦＴ１に直交する平行な面ＦＴ２，ＦＴ３と、光源側面ＦＴ１の縁側に形成された面取り部ＦＴ４とを有している。光源側面ＦＴ１は第１の光学面Ｓ１に有効径内で接している。有効径内で接していることにより、厚肉フランジ部ＦＴをより厚くすることができるため、樹脂注入時の圧力損失をより低減できる。
【００４１】
ここで、対物レンズＯＢＪの軸上レンズ厚をｄ（ｍｍ）、５００ｎｍ以下の波長の光束における前記対物レンズＯＢＪの焦点距離をｆ（ｍｍ）、対物レンズＯＢＪの厚肉フランジ部ＦＴの肉厚をΔ（ｍｍ）、対物レンズＯＢＪのフランジ部ＦＬ（厚肉フランジ部ＦＴ以外）の肉厚をｔ（ｍｍ）としたときに、以下の式を満たす。
【００４２】
０．９≦ｄ／ｆ≦１．２      （１）
２．０≦ｄ／Δ≦５．０      （２）
５．０＜ｄ／ｔ≦８．０      （３）
本実施の形態によれば、対物レンズＯＢＪがフランジ部ＦＬに厚肉フランジ部ＦＴを有するので、図２を参照して、第１の型１０の第１のフランジ部転写面１１ｂに、厚肉フランジ部形成部１１ｃをゲート部ＧＴに接続するように形成する事ができ、これによりゲート部ＧＴの断面積を増大することでゲートシール時間が最適化され、十分な圧力を加えることができるようになり、エアの抜けを有効に行うことができる。なお、第１の型１０と第２の型２０との間にエアベントと呼ぶエア抜き用の溝を設ければ、射出成形時にエアベントからキャビティ内に残存している空気が抜けるので、キャビティ内にエア溜まりが形成されることが抑制され、転写面に樹脂が精度良く密着することができる。エアベントを介して吸引ポンプで外部からエアを吸引すると、更にエア抜け性が向上する。
【００４３】
ここで、金型の加工上、図４に示すように厚肉フランジ部ＦＴは、対物レンズＯＢＪを光軸方向に見たときに、第１の光学面Ｓ１の最大有効径Ｄよりも光軸側に張り出して第１の光学面Ｓ１と一体化する形となってしまうため、光ディスクに集光する光束の一部を遮ることとなるが、上記条件式（２）を満たすことにより、厚肉フランジ部ＦＴで遮られる範囲は光学面の全有効面積と比較して小さく、遮光量は特に問題とはならない。
【００４４】
本実施の形態では、厚肉フランジ部ＦＴは１つとしたが複数個設けてもよい。かかる場合、図４に点線で示すように、光軸を挟んで対称の位置に配置するとバランスがとれて、重心位置が光軸上になり、対物レンズＯＢＪのトラッキング・フォーカシング制御の駆動時に特に有効となる。
【００４５】
図６は、別な実施の形態にかかる対物レンズＯＢＪを示す図である。本実施の形態においては、フランジ部ＦＬは、輪帯部ＦＬ１上に第１の光学面Ｓ１側に周方向に延びる溝ＧＶを有し、フランジ部ＦＬの輪帯部ＦＬ１及び溝ＧＶはフランジ部ＦＬから第１の光学面Ｓ１にわたって形成された厚肉フランジ部ＦＴによって寸断されている。従って本実施の形態の場合、フランジ部ＦＬの最小肉厚ｔは、溝ＧＶの底部で測定することとなる。なお、溝ＧＶは第２の光学面Ｓ２側に形成しても良い。それ以外の構成（（１）〜（３）式の関係を含む）については、上述した実施の形態と同様であるため説明を省略する。
【００４６】
以上、本発明を実施の形態を参照して説明してきたが、本発明は上記実施の形態に限定して解釈されるべきではなく、適宜変更・改良が可能であることはもちろんである。
【符号の説明】
【００４７】
ＯＢＪ  対物レンズ
ＦＬ  フランジ部
ＦＬ１  輪帯部
ＦＴ  厚肉フランジ部
Ｓ１  第１の光学面
Ｓ２  第１の光学面
ＧＶ  溝
【図１】
2011040151.tif 000003
【図２】
2011040151.tif 000004
【図３】
2011040151.tif 000005
【図４】
2011040151.tif 000006
【図５】
2011040151.tif 000007
【図６】
2011040151.tif 000008
【手続補正書】
【提出日】平成24年6月18日(2012.6.18)
【手続補正１】
【補正対象書類名】特許請求の範囲
【補正対象項目名】全文
【補正方法】変更
【補正の内容】
【特許請求の範囲】
【請求項１】
５００ｎｍ以下の波長の光束を光ディスクの情報記録面に集光することによって、情報の記録及び／又は再生を行う光ピックアップ装置において用いられる対物レンズにおいて、
前記対物レンズは、ゲート部を介して溶融した樹脂を供給して成形する射出成形によって形成された樹脂製のレンズであり、
前記対物レンズのＮＡは０．７５以上であり、
前記対物レンズは、光学面の周囲にフランジ部を有し、前記フランジ部の一部は、それ以外の部位よりも光軸方向の厚みが大きな厚肉フランジ部となっており、
前記厚肉フランジ部は、前記ゲート部と接続する位置に設けられており、
前記対物レンズを光軸方向から見たときに前記厚肉フランジ部は最大有効径よりも光軸側に張り出しており、
更に以下の式を満たすことを特徴とする対物レンズ。
０．９≦ｄ／ｆ≦１．２      （１）
但し、ｄ（ｍｍ）は、前記対物レンズの軸上レンズ厚を表し、ｆ（ｍｍ）は、前記５００ｎｍ以下の波長の光束における前記対物レンズの焦点距離を表す。
【請求項２】
５００ｎｍ以下の波長の光束を光ディスクの情報記録面に集光することによって、情報の記録及び／又は再生を行う光ピックアップ装置において用いられる対物レンズにおいて、
前記対物レンズは、ゲート部を介して溶融した樹脂を供給して成形する射出成形によって形成された樹脂製のレンズであり、
前記対物レンズのＮＡは０．７５以上であり、
前記対物レンズは、光学面の周囲にフランジ部を有し、前記フランジ部は、光軸方向のいずれか少なくとも一方の側に周方向に延びる輪帯部を有し、前記輪帯部は前記フランジ部から前記光学面にわたって形成された厚肉フランジ部によって寸断されており、
前記厚肉フランジ部は、前記ゲート部と接続する位置に設けられており、
更に以下の式を満たすことを特徴とする対物レンズ。
０．９≦ｄ／ｆ≦１．２      （１）
但し、ｄ（ｍｍ）は、前記対物レンズの軸上レンズ厚を表し、ｆ（ｍｍ）は、前記５００ｎｍ以下の波長の光束における前記対物レンズの焦点距離を表す。
【請求項３】
前記フランジ部は、光軸方向のいずれか少なくとも一方の側に周方向に延びる溝を有し、前記溝も前記厚肉フランジ部によって寸断されていることを特徴とする請求項２に記載の対物レンズ。
【請求項４】
前記輪帯部は、前記光学面のうち曲率半径が小さい光学面に近い側に形成されていることを特徴とする請求項２又は３に記載の対物レンズ。
【請求項５】
前記厚肉フランジ部の肉厚をΔ（ｍｍ）としたときに、以下の式を満たすことを特徴とする請求項１〜４のいずれかに記載の対物レンズ。
２．０≦ｄ／Δ≦５．０      （２）
【請求項６】
前記フランジ部の最小肉厚をｔ（ｍｍ）としたときに、以下の式を満たすことを特徴とする請求項１〜５のいずれかに記載の対物レンズ。
５．０＜ｄ／ｔ≦８．０      （３）
【請求項７】
以下の式を満たすことを特徴とする請求項１〜６のいずれかに記載の対物レンズ。
０．９≦ｄ／ｆ＜１．１      （１’）
【請求項８】
請求項１〜７のいずれかに記載の対物レンズを有することを特徴とする光ピックアップ装置。
【手続補正２】
【補正対象書類名】明細書
【補正対象項目名】０００７
【補正方法】変更
【補正の内容】
【０００７】
請求項１に記載の対物レンズは、５００ｎｍ以下の波長の光束を光ディスクの情報記録面に集光することによって、情報の記録及び／又は再生を行う光ピックアップ装置において用いられる対物レンズにおいて、
前記対物レンズは、ゲート部を介して溶融した樹脂を供給して成形する射出成形によって形成された樹脂製のレンズであり、
前記対物レンズのＮＡは０．７５以上であり、
前記対物レンズは、光学面の周囲にフランジ部を有し、前記フランジ部の一部は、それ以外の部位よりも光軸方向の厚みが大きな厚肉フランジ部となっており、
前記厚肉フランジ部は、前記ゲート部と接続する位置に設けられており、
前記対物レンズを光軸方向から見たときに前記厚肉フランジ部は最大有効径よりも光軸側に張り出しており、更に以下の式を満たすことを特徴とする。
【手続補正３】
【補正対象書類名】明細書
【補正対象項目名】００１０
【補正方法】変更
【補正の内容】
【００１０】
請求項２に記載の対物レンズは、５００ｎｍ以下の波長の光束を光ディスクの情報記録面に集光することによって、情報の記録及び／又は再生を行う光ピックアップ装置において用いられる対物レンズにおいて、
前記対物レンズは、ゲート部を介して溶融した樹脂を供給して成形する射出成形によって形成された樹脂製のレンズであり、
前記対物レンズのＮＡは０．７５以上であり、
前記対物レンズは、光学面の周囲にフランジ部を有し、前記フランジ部は、光軸方向のいずれか少なくとも一方の側に周方向に延びる輪帯部を有し、前記輪帯部は前記フランジ部から前記光学面にわたって形成された厚肉フランジ部によって寸断されており、
前記厚肉フランジ部は、前記ゲート部と接続する位置に設けられており、更に以下の式を満たすことを特徴とする。
【手続補正４】
【補正対象書類名】明細書
【補正対象項目名】００１５
【補正方法】削除
【補正の内容】
【手続補正５】
【補正対象書類名】明細書
【補正対象項目名】００１６
【補正方法】変更
【補正の内容】
【００１６】
請求項５に記載の対物レンズは、請求項１〜４のいずれかに記載の発明において、前記厚肉フランジ部の肉厚をΔ（ｍｍ）としたときに、以下の式を満たすことを特徴とする。
【手続補正６】
【補正対象書類名】明細書
【補正対象項目名】００１７
【補正方法】変更
【補正の内容】
【００１７】
２．０≦ｄ／Δ≦５．０      （２）
請求項６に記載の対物レンズは、請求項１〜５のいずれかに記載の発明において、前記フランジ部の最小肉厚をｔ（ｍｍ）としたときに、以下の式を満たすことを特徴とする。
【手続補正７】
【補正対象書類名】明細書
【補正対象項目名】００１８
【補正方法】変更
【補正の内容】
【００１８】
５．０＜ｄ／ｔ≦８．０      （３）
請求項７に記載の対物レンズは、請求項１〜６のいずれかに記載の発明において、以下の式を満たすことを特徴とする。
０．９≦ｄ／ｆ＜１．１      （１’）
【手続補正８】
【補正対象書類名】明細書
【補正対象項目名】００１９
【補正方法】変更
【補正の内容】
【００１９】
請求項８に記載の光ピックアップ装置は、請求項１〜７のいずれかに記載の対物レンズを有することを特徴とする。光ピックアップ装置は、５００ｎｍ以下の波長の光束を射出する光源と、対物レンズを有する集光光学系と、光検出器を有する。集光光学系は、対物レンズの他に、コリメータ等のカップリングレンズを有していてもよい。
【国際調査報告】
2011040151.tif 000009
2011040151.tif 000010